(57)【要約】      （修正有）【課題】誰でもが、簡単にホームページを作成、保守することができる、ホームページ運営システムを提供する。【解決手段】特定メールアドレスに送られてきた電文を特定プログラムに引き渡すメールサーバと、それを処理するプログラムと、表示を担当するＷＷＷサーバにより構成される。メールを処理するプログラムは、ＭＩＭＥ規約に基づく電文を文章、命令文、画像、音声等に分離保存、他プログラムへの仲介をする。また、通常テキスト電文を文章、命令文を分離保存、他プログラムへの仲介をする。上述するプログラムによりメールサーバとＷＷＷサーバとを連携させることにより、その運営を容易にする。【選択図】図２
2004185298.tif 000002
【特許請求の範囲】
【請求項１】
受信したインターネットメールを、処理系プログラムに引き渡す手段（以下、メールサーバと記す）と、ＭＩＭＥ（Ｍｕｌｔｉｐｕｒｐｏｓｅ  Ｉｉｎｔｅｒｎｅｔ  Ｍａｉｌ  Ｅｘｔｅｎｓｉｏｎｓ）規約に基づく電文を解釈し、メールクライアント側で作成したイメージをそのままホームページ（以降、ＨＰと記す）に反映する手段と、それを表示する手段（以下、ＷＷＷサーバと記す）を具備することを、特徴とするホームページ運営システム。
【請求項２】
メールサーバと、通常テキスト電文、リッチテキスト電文からテキスト部分を抽出し、予め準備された出版用言語（Ｔｈｅ  ｐｕｂｌｉｓｈｉｎｇ  ｌａｎｇｕａｇｅ）、データベースシステム、及びＣＧＩ（Ｃｏｍｍｏｎ  Ｇａｔｅｗａｙ  Ｉｎｔｅｒｆａｃｅ）等と連携し、ホームページの一部として反映する手段と、ＷＷＷサーバを具備することを、特徴とするホームページ運営システム。
【発明の詳細な説明】
【０００１】
【技術分野】本発明は、インターネット上においてＨＰを運営するうえでの、ＨＰの登録、及び保守に関する。
【０００２】
【従来の技術】ＨＰを運営するには、ＨＰの登録、保守は不可欠である。
ＨＰの登録、保守には、コンピュータに関する高度な知識をもったウェブデザイナ、プログラマ等（以下、技術者と記す）が、Ｔｅｌｎｅｔ、ＦＴＰ等の高度な技術を用いて運営するのが一般的である。
【０００３】
図１にその構成を示す。１０は、情報交換・自己表現・商業上の宣伝等の意図を持つ人（以降、オーナと記す）である。オーナから委託された８にしめす技術者が、Ｔｅｌｎｅｔ等を用いてホストコンピュータに接続し、テキスト編集用ツールを用いて、２の出版用言語、ＣＧＩ等を編集したり、３の表示用データをシェル、プログラム等を用いて修正し、１のＷＷＷサーバに反映させる。また、７のホームページ作成ツール等を用いてパソコン上に作成した、６にしめす出版用言語、ＣＧＩ、画像等のファイルを、５のＦＴＰ等ファイル転送用ツールを用いて２、３に転送（コピー）し１のＷＷＷサーバに反映する方法が一般的である。
【０００４】
更に、ＨＰを作成するには、７のＨＰ作成専用のプログラムを用いたり、ＨＴＭＬに代表されるような高度な専門知識を必要とする出版用言語を用いて作成しなければならない。
【０００５】
【発明が解決しようとする課題】
従来の方法では、
【０００６】
ＨＰを作成するには、ＨＰ作成専用のプログラムを用いるか、高度な出版用言語を修得する必要がある。
【０００７】
ＷＷＷサーバを運営するには、高度な専門知識と専用ツール（Ｔｅｌｎｅｔ、ＦＴＰ等）の複雑な操作が必要である。
【０００８】
オーナが、その意図をＷＷＷサーバに反映するには、技術者等にその登録、保守を委託しなければならない。したがってそれらを実行するのに多額のＨＰ作成費用及び保守費用がかかる。
以上のような欠点を有している。
本発明は、これらの欠点を「インターネットメールの送信」という簡単な操作で解決するものである。
【０００９】
【課題を解決する手段】
上記課題を解決する本発明は次のとうりである。図２に改良後の構成をしめす。
【００１０】
ホストコンピュータシステム上におかれた、１２のメールサーバ、１１のＷＷＷサーバと１３にしめすそれらを結合する、スクリプト言語、プログラミング言語等で作成されたソフトウェア群（以下、処理系プログラムと記す）で構成される。
【００１１】
２５に示すオーナは、友人に送るインターネットメールと同等の操作で、メール電文を作成し、１２のメールサーバの特定メールアドレスに送信する。
【００１２】
電文を受信したメールサーバは特定のメールアドレスに連結された１３のプログラムを起動し、該当電文を１３のプログラムにひきわたす。
【００１３】
１３のプログラムは、１１のＷＷＷサーバが利用可能な形式、若しくは出版用言語、ＣＧＩ等から利用可能な形式に処理し、ファイル名を付与保存する。
【００１４】
１１のＷＷＷサーバは、２６に示すＨＰ閲覧者から要求があった時、上記により保存されたファイルをＨＰに反映し表示する。
【００１５】
【実施例】
図２を例に説明する。ＨＰの作成にあたってオーナは、マイクロソフト社のｏｕｔｌｏｏｋｅｘｐｌｅｓｓ  等を利用し、見たままのイメージで作成（ＨＴＭＬ形式）する。これらの操作は、友人に対してインターネットメールを送るのと同等である。
【００１６】
作成したメール電文をインターネットメールとして１２のメールサーバが管理するの特定アドレス２１のｕｓｅｒ１＠ｘｘｘに送信する。それを受け取ったメールサーバは１８に示すＰｒｏｇ−１を起動し、受信した電文をＰｒｏｇ−１に引き渡す。
【００１７】
Ｐｒｏｇ−１はＭＩＭＥ（Ｍｕｌｔｉｐｕｒｐｏｓｅ  Ｉｉｎｔｅｒｎｅｔ  Ｍａｉｌ  Ｅｘｔｅｎｓｉｏｎｓ）規約に基づく電文を解釈し、１５に相当する通常テキスト、１４に相当するリッチテキスト、１５に相当する画像、音声等に分離編集し、予め準備されたＣＧＩ等から利用可能なファイル名を付与し出力する。
【００１８】
閲覧者からの要求があった時、ＷＷＷサーバは、１４に相当するリッチテキスト、１５に相当する画像等を表示する。このような場合、通常テキストは利用されることは少ない。
【００１９】
また、テキスト形式電文をメールサーバの管理する特定アドレス２２に送信することで、１９は、１５に相当する通常テキストファイルとしてファイル名を付与し出力する。
【００２０】
閲覧者からの要求があった時、ＷＷＷサーバは、１７に示す予め準備されたＣＧＩ等の一部として、１５に相当する通常テキストを編集表示する。
【００２１】
特殊な利用方法としては、メール電文中にＳＱＬ文のような特殊な命令（サーバコンピュータが処理すべき命令等）を埋め込むことで、データベースの更新等に特定の効果を生み出すことが出来る。この様にして維持されるデータベース１６から、予め準備されたＣＧＩ等で編集表示する。
【００２２】
【発明の効果】
本発明を利用することで、唯一インターネットメールの操作を修得することで、これまで技術者を必要としていたＨＰの登録、保守が、ＯＳ等の高度な知識がなくても、プログラムなどの専門知識を有しない人でも、Ｔｅｌｎｅｔ、ＦＴＰ等の複雑な操作を知らなくても、ＨＰを作成したり、ＨＰの全部、若しくは一部変更等ができるようになり、ＨＰの運用を容易に行うことができるようになる。
【００２３】
宣伝、広告等に利用されているＨＰをオーナー自らが保守できることで、メンテナンスコストの削減、頻繁なＨＰ更新によるインターネットの活性化に寄与するものである。
【００２４】
また、Ｔｅｌｎｅｔ、ＦＴＰ等の通信ポートを閉鎖することで、サーバコンピュータシステムのセキュリティ向上を図ることができる。
【図面の簡単な説明】
【図１】従来の方式による処理をしめす。
【図２】本発明の方式による処理をしめす。
【符号の説明】
１    ＷＷＷサーバ
２    出版用言語、ＣＧＩ等
３    表示用の画像、テキスト等データ
４    Ｔｅｌｎｅｔ等通信用端末アプリケーション
５    ｆｔｐ等ファイル転送アプリケーション
６    表示用プログラム、画像等ファイル
７    ホームページ等作成ツール
８    技術者
９    ホームページ閲覧者
１０    オーナ
１１    ＷＷＷサーバ
１２    メールサーバ
１３    処理系プログラム
１４    出版用言語、ＣＧＩ等
１５    画像、テキスト等データ
１６    データベース
１７    予め準備したＣＧＩ等
１８    Ｐｒｏｇ−１
１９    Ｐｒｏｇ−２
２０    Ｐｒｏｇ−３
２１    ｕｓｅｒ１＠ｘｘｘ
２２    ｕｓｅｒ２＠ｘｘｘ
２３    ｕｓｅｒ３＠ｘｘｘ
２４    ｏｕｔｌｏｏｋ等メールクライアント
２５    オーナ
２６    ホームページ閲覧者
【図１】
2004185298.tif 000003
【図２】
2004185298.tif 000004